(57)【要約】  複数の光増幅部を含む光増幅器に好適で、複数の光増幅部にそれぞれ最適な強度の励起光を入射することができる光源装置と、この光源装置を用いた光増幅器を提供する。光源装置は、励起光を出力する第１光源及び第２光源と、第１入力ポート、第２入力ポート、第１出力ポート及び第２出力ポートを含み、上記第１光源及び上記第２光源からの上記励起光が上記第１入力ポート及び上記第２入力ポートに入力されて合波分波する偏波ビームコンバイナーと、を含む。
2020004224.tif 000002
【特許請求の範囲】
【請求項１】
励起光を出力する第１光源及び第２光源と、第１入力ポート、第２入力ポート、第１出力ポート及び第２出力ポートを含み、前記第１光源及び前記第２光源からの前記励起光が前記第１入力ポート及び前記第２入力ポートに入力されて合波分波する偏波ビームコンバイナーと、を含む光源装置。
【請求項２】
前記偏波ビームコンバイナーの前記第１入力ポートはＴＥ入力ポートであり、前記第２入力ポートはＴＭ入力ポートである、請求項１に記載の光源装置。
【請求項３】
前記第１光源の出力ファイバーと、前記偏波ビームコンバイナーの前記ＴＥ入力ポートとが融着接続されており、融着接続されたファイバーのスロー軸のなす角度が略０度であり、
前記第２光源の出力ファイバーと、前記偏波ビームコンバイナーの前記ＴＭ入力ポートとが融着接続されており、融着接続されたファイバーのスロー軸のなす角度が略９０度である、請求項２に記載の光源装置。
【請求項４】
前記第１光源の出力ファイバーと、前記偏波ビームコンバイナーの前記ＴＥ入力ポートとが融着接続されており、融着接続されたファイバーのスロー軸のなす角度がθ１度であり、
前記第２光源の出力ファイバーと、前記偏波ビームコンバイナーの前記ＴＭ入力ポートとが融着接続されており、融着接続されたファイバーのスロー軸のなす角度がθ２度である、請求項２に記載の光源装置。
【請求項５】
前記θ１度は０度とは異なる角度であり、前記θ２度は９０度とは異なる角度である、請求項４に記載の光源装置。
【請求項６】
請求項１乃至請求項５のいずれか一項に記載の光源装置と、前記偏波ビームコンバイナーの前記第１出力ポート及び前記第２出力ポートからの前記励起光を用いて光信号を増幅する第１光増幅部及び第２光増幅部と、を含む光増幅器。
【発明の詳細な説明】
【技術分野】
【０００１】
本発明は、光源装置、及び光増幅器に関し、特に励起光を出力する光源装置と、これを用いた光増幅器に関する。
【背景技術】
【０００２】
光通信システムにおいて、減衰した光信号を増幅するために、ファイバー型光増幅器が用いられる。この減衰した光信号を増幅するファイバー型光増幅器としては、光信号が入力される希土類添加ファイバーに、励起光源から出力される励起光を入力することで、光信号の信号強度を増幅するものがある。このようなファイバー型増幅器は、高効率・高利得であり、光ファイバー通信システムの光信号中継用の増幅器として用いられる。【０００３】
特許文献１乃至特許文献４では、このような光増幅器や、光増幅器に用いられる励起光を出力する励起光源が提案されている。
【先行技術文献】
【特許文献】
【０００４】
【特許文献１】特開２０１４−６２９８号公報
【特許文献２】特開２０１３−４６６７号公報
【特許文献３】特開２００４−１０４４７３号公報
【特許文献４】特開平８−３０４８６０号公報
【発明の概要】
【発明が解決しようとする課題】
【０００５】
しかしながら、上述した光源装置、及び光増幅器には次のような課題がある。【０００６】
すなわち複数の光増幅部を含む光増幅器の構成において、複数の光増幅部が必要とする励起光の強度が異なる場合に、それぞれの光増幅部に最適な強度の励起光を入射することができない点である。【０００７】
特許文献１乃至特許文献４では、複数の光増幅器からなる光アンプ構成について言及はなく、またこのような光アンプ構成で複数の光増幅器が必要とする励起光の強度が異なる場合に、それぞれの光増幅器に最適な強度の励起光を入射することについて関知していない。【０００８】
本発明の目的は、複数の光増幅部を含む光増幅器に好適で、複数の光増幅部にそれぞれ最適な強度の励起光を入射することができる光源装置と、この光源装置を用いた光増幅器を提供することにある。
【課題を解決するための手段】
【０００９】
前記目的を達成するため、本発明に係る光源装置は、励起光を出力する第１光源及び第２光源と、第１入力ポート、第２入力ポート、第１出力ポート及び第２出力ポートを含み、上記第１光源及び上記第２光源からの上記励起光が上記第１入力ポート及び第２入力ポートに入力されて合波分波する偏波ビームコンバイナーと、を含む。【００１０】
本発明に係る光増幅器は、上記光源装置と、上記偏波ビームコンバイナーの上記第１出力ポート及び上記第２出力ポートからの上記励起光を用いてそれぞれ光信号を増幅する第１光増幅部及び第２光増幅部と、を含む。
【発明の効果】
【００１１】
本発明によれば、光増幅器の複数の光増幅部に、それぞれ最適な強度の励起光を入射する光源装置を実現することができる。
【図面の簡単な説明】
【００１２】
【図１Ａ】実施形態による光源装置を説明するための構成図である。
【図１Ｂ】第１実施形態による光増幅器を説明するための構成図である。
【図１Ｃ】第１実施形態の光源装置の動作を説明するための説明図である。
【図１Ｄ】第１実施形態の光源装置の動作を説明するための説明図である。
【図１Ｅ】第１実施形態の光源装置の動作を説明するための説明図である。
【図２Ａ】第２実施形態による光源装置、及び光増幅器を説明するための構成図である。
【図２Ｂ】第２実施形態の光源装置の動作を説明するための説明図である。
【図２Ｃ】第２実施形態の光源装置の動作を説明するための説明図である。
【図２Ｄ】第２実施形態の光源装置の動作を説明するための説明図である。
【発明を実施するための形態】
【００１３】
本発明の好ましい実施形態について、図面を参照しながら詳細に説明する。
【００１４】
〔第１実施形態〕
初めに、第１実施形態による光源装置、及び光増幅器について、説明する。図１Ａは、第１実施形態による光源装置を説明するための構成図である。図１Ｂは、第１実施形態による光増幅器を説明するための構成図である。図１Ｃ乃至図１Ｅは、第１実施形態による光源装置の動作を説明するための説明図である。
【００１５】
（実施形態の構成）
図１Ａの光源装置は、励起光を出力する第１光源及び第２光源の一例としてのレーザーダイオード（ＬＤ）２ａ及びレーザーダイオード（ＬＤ）２ｂと、入力ポート１、入力ポート２、出力ポート１及び出力ポート２を含み、上記ＬＤ２ａ及びＬＤ２ｂからの上記励起光が入力ポート１及び入力ポート２に入力されて合波分波する偏波ビームコンバイナー（ＰＢＣ）１と、を含む。ＰＢＣ１は、ＬＤ２ａから出射された励起光とＬＤ２ｂから出射された励起光との合波や分波を行った後、後述するファイバー型光増幅器の複数の希土類添加ファイバーへ励起光を分配する。
【００１６】
図１Ｂの光増幅器は、図１Ａの光源装置を用いて、より具体的に構成した場合を示している。図１Ｂの光増幅器は、図１Ａの光源装置と、光源装置のＰＢＣ１の上記出力ポート１及び上記出力ポート２からの上記励起光を用いてそれぞれ光信号を増幅する第１光増幅部及び第２光増幅部の一例としての、エルビウムドープファイバー型光増幅部（ＥＤＦＡ）３ａ及びエルビウムドープファイバー型光増幅部（ＥＤＦＡ）３ｂと、を含む。
【００１７】
なお図１Ｂの光増幅器は、図１ＡのＰＢＣ１の入力ポート１をＴＥ（Transverse Electric wave）入力ポートとし、図１ＡのＰＢＣ１の入力ポート２をＴＭ（Transverse Magnetic wave）入力ポートとしている。なおここで、ＬＤ２ａ及びＬＤ２ｂの出力ファイバーと、ＰＢＣ１のＴＥ入力ポート及びＴＭ入力ポートのファイバーとが、ともに偏波保存ファイバーである。
【００１８】
さらに図１Ｂの光増幅器では、ＬＤ２ａとＰＢＣ１のＴＥ入力ポートとの融着点１でのファイバー融着角度を０度、ＬＤ２ｂとＰＢＣ１のＴＭ入力ポートとの融着点２でのファイバー融着角度を９０度としている。言い換えると、ＬＤ２ａの出力ファイバーとＰＢＣ１のＴＥ入力ポートのファイバーとが融着点１で融着され、融着接続されたファイバーのスロー軸のなす角度が０度である。さらにＬＤ２ｂの出力ファイバーとＰＢＣ１のＴＭ入力ポートのファイバーとが融着点２で融着され、融着接続されたファイバーのスロー軸のなす角度が９０度である。
【００１９】
ＰＢＣ１は、図１Ｃや図１Ｄに示される、二つのファイバーのコア同士を近接させた構造の結合部１ａを有しており、これによりＴＥ入力ポート及びＴＭ入力ポートへ入力される励起光を合波や分波を行う。ＰＢＣ１の二つの出力ポートから出射される励起光強度の割合は、結合部１ａの設計により変化させることができる。具体的には、結合部１ａで近接するコア同士の距離、結合部１ａで近接する区間の長さ、結合部１ａのコアの屈折率と断面サイズ、や結合部１ａのクラッドの屈折率などを設計パラメータとして設計を行う。
【００２０】
ＥＤＦＡ３ａ、ＥＤＦＡ３ｂは、光源装置からそれぞれ励起光入力ポートへ励起光が入射され、信号光入力ポートへの信号光を増幅して、信号光出力ポートから増幅された信号光を出力する。
【００２１】
（実施形態の動作）
図１Ｂの光増幅器、光源装置の動作について、図１Ｃ、図１Ｄ及び図１Ｅを参照して説明する。ＬＤ２ａ、ＬＤ２ｂから出射された励起光は、ＰＢＣ１の入力ポート１及び入力ポート２に入力され、合波、分波されたのち、ＥＤＦＡ３ａ、ＥＤＦＡ３ｂのそれぞれの励起光入力ポートに入力される。一方、ＥＤＦＡ３ａ、ＥＤＦＡ３ｂのそれぞれの信号光入力ポートに入力された光信号は、ＥＤＦＡ３ａ、ＥＤＦＡ３ｂの内部において励起光のパワーにより増幅されて、信号光出力ポートからそれぞれ出力される。
【００２２】
図１Ｃに示すように、ＬＤ２ａからＰＢＣ１のＴＥ入力ポートへ入力された励起光については、０．６：０．４の割合で分配され、ＰＢＣ１の出力ポート１、出力ポート２から出射される。すなわち、ＰＢＣ１のＴＥ入力ポートへの光強度Ｐｉｎ１＝１に対し、ＰＢＣ１の出力ポート１からの光強度Ｐｏｕｔ＝０．６、出力ポート２からの光強度Ｐｏｕｔ＝０．４のように分配される。
【００２３】
図１Ｄに示すように、ＬＤ２ｂからＰＢＣ１のＴＭ入力ポートへ入力された励起光については、０．６：０．４の割合で分配され、ＰＢＣ１の出力ポート１、出力ポート２から出射される。すなわち、ＰＢＣ１のＴＭ入力ポートへの光強度Ｐｉｎ２＝１に対し、ＰＢＣ１の出力ポート１からの光強度Ｐｏｕｔ＝０．６、出力ポート２からの光強度Ｐｏｕｔ＝０．４のように分配される。
【００２４】
（実施形態の効果）
こうして本実施形態の光源装置では、図１Ｂの光増幅器のＥＤＦＡ３ａ、ＥＤＦＡ３ｂにお互いに異なる光強度の励起光を入射することができる。このように図１Ｂの光増幅器のＥＤＦＡ３ａ、ＥＤＦＡ３ｂにお互いに異なる光強度の励起光を入射することができるので、複数のＥＤＦＡを含む構成の光増幅器において、それぞれ最適な強度の励起光を入射することができる。
【００２５】
図１Ｃに示すような、ＬＤ２ａからＰＢＣ１のＴＥ入力ポートへ入力された励起光の分配と、図１Ｄに示すような、ＬＤ２ｂからＰＢＣ１のＴＥ入力ポートへ入力された励起光の分配とを総合すると、図１Ｅのようになる。ＬＤ２ａからＰＢＣ１のＴＥ入力ポートへの入力光強度Ｐｉｎ１＝１、及びＬＤ２ｂからＰＢＣ１のＴＭ入力ポートへの入力光強度Ｐｉｎ２＝１に対し、ＰＢＣ１の出力ポート１からの出力光強度Ｐｏｕｔ１＝１．２、ＰＢＣ１の出力ポート２からの出力光強度Ｐｏｕｔ２＝０．８となる。このようにＰＢＣ１では、出力ポート１、出力ポート２から出射される励起光に、ＬＤ２ａ、ＬＤ２ｂからの光強度がそれぞれ等しく含まれている。これにより、仮にＬＤ２ａ、ＬＤ２ｂのどちらの励起レーザーが故障した場合でも、図１ＢのＥＤＦＡ３ａ、ＥＤＦＡ３ｂに入射される励起光の減衰割合は等しい。これにより、光アンプ構成を含む光通信システムの設計において、励起レーザーの故障や経時劣化を想定したシステム設計が容易になる。
【００２６】
〔第２実施形態〕
次に、第２実施形態による光源装置、及び光増幅器について、説明する。図２Ａは、第２実施形態による光源装置、及び光増幅器を説明するための構成図である。図２Ｂ乃至図２Ｄは、第２実施形態による光源装置の動作を説明するための説明図である。第２実施形態は、第１実施形態の変形例であり、図１Ａに示される光源装置を基礎とするものとする。第１実施形態と同様な要素に対しては同じ参照番号を付して、その詳細な説明を省略することとする。
【００２７】
（実施形態の構成）
図２Ａの光増幅器は、図１Ａの光源装置と同様な光源装置を含む。すなわち図２Ａの光源装置は、励起光を出力する第１光源及び第２光源の一例としてのレーザーダイオード（ＬＤ）２ａ及びレーザーダイオード（ＬＤ）２ｂと、ＴＥ入力ポート、ＴＭ入力ポート、出力ポート１及び出力ポート２を含み、上記ＬＤ２ａ及びＬＤ２ｂからの上記励起光がＴＥ力ポート及びＴＭ入力ポートに入力されて合波分波する偏波ビームコンバイナー（ＰＢＣ）１と、を含む。ＰＢＣ１は、ＬＤ２ａから出射された励起光とＬＤ２ｂから出射された励起光との合波や分波を行った後、ファイバー型光増幅器の複数の希土類添加ファイバーへ励起光を分配する。
【００２８】
図２Ａの光増幅器はさらに、図１Ｂの光増幅器と同様な光源装置のＰＢＣ１の出力ポート１及び出力ポート２からの励起光を用いてそれぞれ光信号を増幅する第１光増幅部及び第２光増幅部の一例としての、エルビウムドープファイバー型光増幅部（ＥＤＦＡ）３ａ及びエルビウムドープファイバー型光増幅部（ＥＤＦＡ）３ｂと、を含む。なおここで、ＬＤ２ａ及びＬＤ２ｂの出力ファイバーと、ＰＢＣ１のＴＥ入力ポート及びＴＭ入力ポートのファイバーとが、ともに偏波保存ファイバーである。
【００２９】
さらに図２Ｂの光増幅器では、ＬＤ２ａとＰＢＣ１のＴＥ入力ポートとの融着点１でのファイバー融着角度を０度、９０度とは異なるθ１（度）としており、ＬＤ２ｂとＰＢＣ１のＴＭ入力ポートとの融着点２でのファイバー融着角度を０度、９０度とは異なるθ２（度）としている。言い換えると、ＬＤ２ａの出力ファイバーとＰＢＣ１のＴＥ入力ポートのファイバーとが融着点１で融着され、融着接続されたファイバーのスロー軸のなす角度がθ１（度）である。さらにＬＤ２ｂの出力ファイバーとＰＢＣ１のＴＭ入力ポートのファイバーとが融着点２で融着され、融着接続されたファイバーのスロー軸のなす角度がθ２（度）である。なお、ＬＤ２ａとＰＢＣ１のＴＥ入力ポートとの融着点１でのファイバー融着角度θ１と、ＬＤ２ｂとＰＢＣ１のＴＭ入力ポートとの融着点２でのファイバー融着角度θ２とはお互いに異なる。
【００３０】
ＰＢＣ１は、図２Ｂや図２Ｃに示される、二つのファイバーのコア同士を近接させた構造の結合部１ａを有しており、これによりＴＥ入力ポート及びＴＭ入力ポートへ入力される励起光を合波や分波を行う。ＰＢＣ１の二つの出力ポートから出射される励起光強度の割合は、結合部１ａの設計により変化させることができる。具体的には、結合部１ａで近接するコア同士の距離、結合部１ａで近接する区間の長さ、結合部１ａのコアの屈折率と断面サイズ、や結合部１ａのクラッドの屈折率などを設計パラメータとして設計を行う。
【００３１】
ＥＤＦＡ３ａ、ＥＤＦＡ３ｂは、光源装置からそれぞれ励起光入力ポートへ励起光が入射され、信号光入力ポートへの信号光を増幅して、信号光出力ポートから増幅された信号光を出力する。
【００３２】
（実施形態の動作）
図２Ａの光増幅器、光源装置の動作について、図２Ｂ、図２Ｃ及び図２Ｄを参照して説明する。ＬＤ２ａ、ＬＤ２ｂから出射された励起光は、ＰＢＣ１の入力ポート１及び入力ポート２に入力され、合波、分波されたのち、ＥＤＦＡ３ａ、ＥＤＦＡ３ｂのそれぞれの励起光入力ポートに入力される。一方、ＥＤＦＡ３ａ、ＥＤＦＡ３ｂのそれぞれの信号光入力ポートに入力された光信号は、ＥＤＦＡ３ａ、ＥＤＦＡ３ｂの内部において励起光のパワーにより増幅されて、信号光出力ポートからそれぞれ出力される。
【００３３】
図２Ｂに示すように、ＬＤ２ａからＰＢＣ１のＴＥ入力ポートへ入力された励起光については、０．６：０．４の割合で分配され、ＰＢＣ１の出力ポート１、出力ポート２から出射される。すなわち、ＰＢＣ１のＴＥ入力ポートへの光強度Ｐｉｎ１＝１に対し、ＰＢＣ１の出力ポート１からの光強度Ｐｏｕｔ＝０．６、出力ポート２からの光強度Ｐｏｕｔ＝０．４のように分配される。
【００３４】
図２Ｃに示すように、ＬＤ２ｂからＰＢＣ１のＴＭ入力ポートへ入力された励起光については、０．６：０．４の割合で分配され、ＰＢＣ１の出力ポート１、出力ポート２から出射される。すなわち、ＰＢＣ１のＴＭ入力ポートへの光強度Ｐｉｎ２＝１に対し、ＰＢＣ１の出力ポート１からの光強度Ｐｏｕｔ＝０．６、出力ポート２からの光強度Ｐｏｕｔ＝０．４のように分配される。
【００３５】
こうして本実施形態の光源装置では、図２Ａの光増幅器のＥＤＦＡ３ａ、ＥＤＦＡ３ｂにお互いに異なる光強度の励起光を入射することができる。このように図２Ａの光増幅器のＥＤＦＡ３ａ、ＥＤＦＡ３ｂにお互いに異なる光強度の励起光を入射することができるので、複数のＥＤＦＡを含む構成の光増幅器において、それぞれ最適な強度の励起光を入射することができる。
【００３６】
図２Ｂに示すような、ＬＤ２ａからＰＢＣ１のＴＥ入力ポートへ入力された励起光の分配と、図２Ｃに示すような、ＬＤ２ｂからＰＢＣ１のＴＥ入力ポートへ入力された励起光の分配とを総合すると、図２Ｄのようになる。ＬＤ２ａからＰＢＣ１のＴＥ入力ポートへの入力光強度Ｐｉｎ１＝１、及びＬＤ２ｂからＰＢＣ１のＴＭ入力ポートへの入力光強度Ｐｉｎ２＝１に対し、ＰＢＣ１の出力ポート１からの出力光強度Ｐｏｕｔ１＝１．２、ＰＢＣ１の出力ポート２からの出力光強度Ｐｏｕｔ２＝０．８となる。このようにＰＢＣ１では、出力ポート１、出力ポート２から出射される励起光に、ＬＤ２ａ、ＬＤ２ｂからの光強度がそれぞれ等しく含まれている。これにより、仮にＬＤ２ａ、ＬＤ２ｂのどちらの励起レーザーが故障した場合でも、図２ＡのＥＤＦＡ３ａ、ＥＤＦＡ３ｂに入射される励起光の減衰割合は等しい。これにより、光アンプ構成を含む光通信システムの設計において、励起レーザーの故障を想定したシステム設計が容易になる。
【００３７】
ＰＢＣ１の二つの出力ポートから出射される励起光パワーの割合は、第１実施形態で説明したようにＰＢＣ１の結合部１ａの設計により変化させることができるが、それだけではなく、ＰＢＣ１のＴＥポート、ＴＭポートそれぞれに対するファイバー融着角度によっても変化させることができる。すなわち、ＬＤ２ａとＰＢＣ１のＴＥ入力ポートとの融着点１でのファイバー融着角度θ１、ＬＤ２ｂとＰＢＣ１のＴＭ入力ポートとの融着点２でのファイバー融着角度θ２を最適に設計することで、例えば第１実施形態と同じ動作を実現することができる。
【００３８】
（実施形態の効果）
こうして本実施形態の光源装置では第１実施形態と同様に、図２Ａの光増幅器のＥＤＦＡ３ａ、ＥＤＦＡ３ｂにお互いに異なる光強度の励起光を入射することができる。このように図２Ａの光増幅器のＥＤＦＡ３ａ、ＥＤＦＡ３ｂにお互いに異なる光強度の励起光を入射することができるので、複数のＥＤＦＡを含む構成の光増幅器において、それぞれ最適な強度の励起光を入射することができる。
【００３９】
図２Ｂに示すような、ＬＤ２ａからＰＢＣ１のＴＥ入力ポートへ入力された励起光の分配と、図２Ｃに示すような、ＬＤ２ｂからＰＢＣ１のＴＥ入力ポートへ入力された励起光の分配とを総合すると、図２Ｄのようになる。ＬＤ２ａからＰＢＣ１のＴＥ入力ポートへの入力光強度Ｐｉｎ１＝１、及びＬＤ２ｂからＰＢＣ１のＴＭ入力ポートへの入力光強度Ｐｉｎ２＝１に対し、ＰＢＣ１の出力ポート１からの出力光強度Ｐｏｕｔ１＝１．２、ＰＢＣ１の出力ポート２からの出力光強度Ｐｏｕｔ２＝０．８となる。このようにＰＢＣ１では、出力ポート１、出力ポート２から出射される励起光に、ＬＤ２ａ、ＬＤ２ｂからの光強度がそれぞれ等しく含まれている。これにより、仮にＬＤ２ａ、ＬＤ２ｂのどちらの励起レーザーが故障した場合でも、図２ＡのＥＤＦＡ３ａ、ＥＤＦＡ３ｂに入射される励起光の減衰割合は等しい。これにより、光アンプ構成を含む光通信システムの設計において、励起レーザーの故障や経時劣化を想定したシステム設計が容易になる。
【００４０】
次に、第１実施形態では得られない、第２実施形態に特有の効果について説明する。前述のように、ＰＢＣ１の二つの出力ポートから出射される励起光強度の割合は、ＰＢＣ１の結合部１ａの設計だけでなく、ＴＥ入力ポート、ＴＭ入力ポートそれぞれに対するファイバー融着角度の設計によっても、その割合を変化させることができる。このＴＥ入力ポート、ＴＭ入力ポートそれぞれに対するファイバー融着角度の設計によって、図２Ｂの光増幅器のＥＤＦＡ３ａ、ＥＤＦＡ３ｂにお互いに異なる光強度の励起光を入射することができるので、複数のＥＤＦＡを含む構成の光増幅器において、それぞれ最適な強度の励起光を入射することができる。
【００４１】
本実施形態によれば、既存で市販されているＰＢＣ１を用いつつ、ＴＥ入力ポート、ＴＭ入力ポートそれぞれに対するファイバー融着角度の設計によって励起光強度の割合を変化させて、図２Ａの光増幅器のＥＤＦＡ３ａ、ＥＤＦＡ３ｂにお互いに異なる光強度の励起光を入射することもできる。
【００４２】
〔その他の実施形態〕
以上好ましい実施形態について説明したが、本発明はこれらの実施形態に限られるものではなく、様々な変更が可能である。第１実施形態及び第２実施形態においては、偏波ビームコンバイナー（ＰＢＣ）の出力ポートが、エルビウムドープファイバー型光増幅部（ＥＤＦＡ）の励起光入力ポートに直接接続されていたが、本発明はこの構成に限られない。直接接続されている場合に限らず、例えば、ＰＢＣの出力ポートが分岐カップラーに接続され、その分岐カップラーの出力が複数のＥＤＦＡに接続されている場合でも、同様の効果が得られる。
【００４３】
また、上述した第１実施形態及び第２実施形態では、希土類添加ファイバー型光増幅器として、エルビウムドープファイバー型光増幅器を用いた例を示したが、希土類の他の元素が添加、例えば、プラセオジム（Ｐｒ）、ツリウム（Ｔｍ）、或いはイッテルビウム（Ｙｂ）が添加、された他の種類のファイバー型光アンプであっても同様の効果が期待される。
【００４４】
以上、本発明の好ましい実施形態を説明したが、本発明はこれに限定されるものではない。請求の範囲に記載した発明の範囲内で、種々の変形が可能であり、それらも本発明の範囲に含まれることはいうまでもない。
【産業上の利用可能性】
【００４５】
本発明の活用例として、長距離光通信システムにおける中継用光アンプが挙げられる。【００４６】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。【００４７】
この出願は、２０１８年６月２８日に出願された日本出願特願２０１８−１２２９７３号を基礎とする優先権を主張し、その開示の全てをここに取り込む。
【符号の説明】
【００４８】
１    偏波ビームコンバイナー
１ａ    結合部
２ａ、２ｂ    レーザーダイオード
３ａ、３ｂ    エルビウムドープファイバー型光増幅部
【図１Ａ】
2020004224.tif 000003
【図１Ｂ】
2020004224.tif 000004
【図１Ｃ】
2020004224.tif 000005
【図１Ｄ】
2020004224.tif 000006
【図１Ｅ】
2020004224.tif 000007
【図２Ａ】
2020004224.tif 000008
【図２Ｂ】
2020004224.tif 000009
【図２Ｃ】
2020004224.tif 000010
【図２Ｄ】
2020004224.tif 000011
【国際調査報告】
2020004224.tif 000012
2020004224.tif 000013
2020004224.tif 000014
2020004224.tif 000015